(57)【要約】【課題】簡易かつ確実に決済を可能とする料金決済システムを提供する。【解決手段】料金決済システムは、複数の空間Ｘを時間貸しする店舗側に設けられた店舗側端末１と、空間Ｘを時間借りする利用者側に設けられた利用者端末２と、該店舗側端末１に接続され、空間Ｘの利用状況から決済を行う決済管理装置３と、空間Ｘにおいて決済用ＵＲＬを送信する近距離無線通信端末であるＮＦＣ端末４を備える。【選択図】図１
2020140551.tif 000002
【特許請求の範囲】
【請求項１】
空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムにおいて、
前記決済管理装置により、
前記利用者の前記空間の利用を認識する空間利用認識工程と、
前記空間利用認識工程により前記利用者の前記空間の利用が認識された場合に、該空間の利用代金決済する決済用ＵＲＬを生成する決済用ＵＲＬ生成工程と、
前記決済用ＵＲＬ生成工程により生成された前記決済用ＵＲＬを前記空間内の近距離無線通信端末を介して送信する決済用ＵＲＬ送信工程と
が実行され、
前記利用者端末により、
前記決済用ＵＲＬ送信工程により前記空間内の前記近距離無線通信端末を介して送信された決済用ＵＲＬに読み込む決済用ＵＲＬ読み込み工程と、
前記決済用ＵＲＬ読み込み工程により読み込まれた決済用ＵＲＬが有効か否かを前記管理装置に問い合わせる決済用ＵＲＬ有効判定工程と、
前記決済用ＵＲＬ有効判定工程により決済用ＵＲＬが有効である場合に、前記決済管理装置から取得される決済金額を案内する決済画面を表示する決済画面表示工程と、
前記決済画面表示工程により表示された前記決済画面により決済を実行する決済実行工程と
が実行されることを特徴とする料金決済システム。
【請求項２】
請求項１記載の料金決済システムにおいて、
前記決済管理装置により、
前記空間利用認識工程において前記利用者の前記空間の利用の終了が認識された場合、または、前記決済用ＵＲＬ読み込み工程において決済用ＵＲＬの読み込みがあった場合に、前記決済用ＵＲＬ生成工程により生成された決済用ＵＲＬを無効化する決済用ＵＲＬ無効化工程と、前記決済用ＵＲＬ送信工程により前記近距離無線通信端末を介して送信する決済用ＵＲＬを削除する決済用ＵＲＬ削除工程とが実行されることを特徴とする料金決済システム。
【請求項３】
請求項１または２記載の料金決済システムにおいて、
前記決済用ＵＲＬは、ＵＲＬを固定させた固定決済用ＵＲＬであって、
前記決済管理装置は、
前記決済用ＵＲＬ生成工程において、前記空間利用認識工程により前記利用者の前記空間の利用が認識された場合に、前記決済用ＵＲＬの生成に代えてワンタイムコードを生成し、
前記決済用ＵＲＬ生成工程により生成されたワンタイムコードを前記空間内のコード表示部に表示するコード表示工程を実行し、
前記利用者端末は、
決済用ＵＲＬ有効判定工程において、前記コード表示工程においてコード表示部に表示されたワンタイムコードの入力により決済用ＵＲＬが有効か否かを前記管理装置に問い合わせることを特徴とする料金決済システム。
【発明の詳細な説明】
【技術分野】
【０００１】
本発明の料金決済システムは、空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムである。
【背景技術】
【０００２】
従来、この種の代金決済システムとしては、下記特許文献１に示すように、
利用者がカード決済によって取引を行う際に、店舗側に表示するＱＲコード（登録商標）を生成して店舗側に表示させる。そして、店舗側に表示されたＱＲコード（登録商標）が利用者端末装置により読み取られることによって決済が実行される。
【先行技術文献】
【特許文献】
【０００３】
【特許文献１】特開２０１２−２１６１５５号公報
【発明の概要】
【発明が解決しようとする課題】
【０００４】
かかる従来の代金決済システムによれば、クレジットカードや当該クレジットカードの情報を読み取る専用端末を用いることなく、店頭でオンライン決済を行うことが可能となるが、カード決済の度毎にＱＲコード（登録商標）を生成することになり、決済までに時間と手間を要することになる。
【０００５】
一方で、予め固定されたＱＲコード（登録商標）を店舗側に設けた場合には、複製などが容易に可能となりセキュリティ上の問題がある。
【０００６】
以上の事情に鑑みて、本発明は、簡易かつ確実に決済を可能とする料金決済システムを提供すること目的とする。
【課題を解決するための手段】
【０００７】
第１発明の料金決済システムは、
空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムにおいて、
前記決済管理装置により、
前記利用者の前記空間の利用を認識する空間利用認識工程と、
前記空間利用認識工程により前記利用者の前記空間の利用が認識された場合に、該空間の利用代金決済する決済用ＵＲＬを生成する決済用ＵＲＬ生成工程と、
前記決済用ＵＲＬ生成工程により生成された前記決済用ＵＲＬを前記空間内の近距離無線通信端末を介して送信する決済用ＵＲＬ送信工程と
が実行され、
前記利用者端末により、
前記決済用ＵＲＬ送信工程により前記空間内の前記近距離無線通信端末を介して送信された決済用ＵＲＬに読み込む決済用ＵＲＬ読み込み工程と、
前記決済用ＵＲＬ読み込み工程により読み込まれ決済用ＵＲＬが有効か否かを前記管理装置に問い合わせる決済用ＵＲＬ有効判定工程と、
前記決済用ＵＲＬ有効判定工程により決済用ＵＲＬが有効である場合に、前記決済管理装置から取得される決済金額を案内する決済画面を表示する決済画面表示工程と、
前記決済画面表示工程により表示された前記決済画面により決済を実行する決済実行工程と
が実行されることを特徴とする。
【０００８】
第１発明の料金決済システムによれば、空間利用認識工程により利用者の空間の利用が認識された場合に、該空間の利用代金決済する決済用ＵＲＬが生成される。そのため、予め空間の利用により決済用ＵＲＬが生成されているため、カード決済の度毎にコード等を生成することがなく、決済までに時間と手間を要することもない。
【０００９】
一方で、決済用ＵＲＬは、空間利用認識工程により空間の利用毎に生成されるため、固定されたコード等を設ける場合のように、複製などのセキュリティ上の問題が生じることもない。
【００１０】
このように、第１発明の料金決済システムによれば、簡易かつ確実に決済が可能となる。
【００１１】
第２発明の料金決済システムは、第１発明において、
前記決済管理装置により、
前記空間利用認識工程において前記利用者の前記空間の利用の終了が認識された場合、または、前記決済用ＵＲＬ読み込み工程において決済用ＵＲＬの読み込みがあった場合に、前記決済用ＵＲＬ生成工程により生成された決済用ＵＲＬを無効化する決済用ＵＲＬ無効化工程と、前記決済用ＵＲＬ送信工程により前記近距離無線通信端末を介して送信する決済用ＵＲＬを削除する決済用ＵＲＬ削除工程とが実行されることを特徴とする。
【００１２】
第２発明の料金決済システムによれば、生成された決済用ＵＲＬは、利用者の空間の利用の終了が認識された場合、または、決済用ＵＲＬの読み込みがあった場合に、無効化され、近距離無線通信端末を介して送信する決済用ＵＲＬが削除される。そのため、決済用ＵＲＬが複製されて持ち出されることを回避することができる。
【００１３】
このように、第２発明の料金決済システムによれば、簡易かつより確実に決済が可能となる。
【００１４】
第３発明の料金決済システムは、第１または第２発明において、
前記決済用ＵＲＬは、ＵＲＬを固定させた固定決済用ＵＲＬであって、
前記決済管理装置は、
前記決済用ＵＲＬ生成工程において、前記空間利用認識工程により前記利用者の前記空間の利用が認識された場合に、前記決済用ＵＲＬの生成に代えてワンタイムコードを生成し、
前記決済用ＵＲＬ生成工程により生成されたワンタイムコードを前記空間内のコード表示部に表示するコード表示工程を実行し、
前記利用者端末は、
決済用ＵＲＬ有効判定工程において、前記コード表示工程においてコード表示部に表示されたワンタイムコードの入力により決済用ＵＲＬが有効か否かを前記管理装置に問い合わせることを特徴とする。
【００１５】
第３発明の料金決済システムによれば、例えば、空間内の近距離無線通信端末を介して送信する決済用ＵＲＬが変更できないような場合のように、決済用ＵＲＬをその都度動的に生成できない固定決済用ＵＲＬである場合でも、決済管理装置が、決済用ＵＲＬの生成に代えてワンタイムコードを生成し、これを空間内のコード表示部に表示する。そして、利用者端末に、生成されたワンタイムコードが入力されることにより決済用ＵＲＬが有効であると判定することが可能となる。
【００１６】
このように、第３発明の料金決済システムによれば、例えば、空間内の近距離無線通信端末を介して送信する決済用ＵＲＬが変更できないような場合にも、簡易かつ確実に決済が可能となる。
【図面の簡単な説明】
【００１７】
【図１】本実施形態の料金決済システムの概要を示すシステム構成図。
【図２】図１の料金決済システムにおける処理内容を示すフローチャート。
【図３】図１の料金決済システムにおける処理内容を示すフローチャート。
【図４】図３の処理内容の変更例を示すフローチャート。
【発明を実施するための形態】
【００１８】
図１に示すように、本実施形態の料金決済システムは、複数の空間Ｘを時間貸しする店舗側に設けられた店舗側端末１と、空間Ｘを時間借りする利用者側に設けられた利用者端末２と、該店舗側端末１に接続され、空間Ｘの利用状況から決済を行う決済管理装置３と、空間Ｘにおいて決済用ＵＲＬを送信する近距離無線通信端末であるＮＦＣ端末４を備える。
【００１９】
ここで、空間Ｘとしては、例えば、ホテルの客室、飲食店の個室や座席、興行における客席のほか、美容院や英会話教室などにおける予約等など、予約により一定の空間を一定時間占有するものをすべて包含する概念である。
【００２０】
まず、店舗側端末１は、例えば、ＰＯＳ端末であり、少なくとも各空間の利用代金を管理する装置であって、各空間Ｘの決済管理装置３との間で、利用代金の情報の授受を行う。
【００２１】
次に、利用者端末２は、例えば、ホテルなどの客室である空間を利用するユーザのスマートフォンやタブレット等のユーザ端末であって、少なくともインターネット等のネットワークに接続可能なものである。
【００２２】
次に、決済管理装置３は、各空間のコンピュータやテレビやタブレットなどのインタフェースであって、少なくともタッチパネルまたはキーボード／テンキーなどの入力手段を備え、ＬＡＮに接続可能な端末である。
【００２３】
決済管理装置３は、主に、決済用ＵＲＬを紹介するためのＮＦＣコードの生成およびその管理と、店舗側端末１から取得した空間Ｘの料金情報に基づく決済処理とをネットワーク通信により利用者端末２との間で行う。
【００２４】
より具体的には、決済管理装置３は、店舗側端末１から取得した料金情報に基づいて料金画面を生成し、これをネットワーク通信により利用者端末２に表示する。
【００２５】
また、決済管理装置３は、必要に応じて、各空間Ｘの状態（例えば、ホテルの客室の場合には『在室』，『空室』，『清掃』，『予約』等の状態）を管理する管理コンピュータとしての機能を有することが望ましい。
【００２６】
決済管理装置３は、ネットワークを介して、クレジットカード会社などの決済実行者サーバ５に接続され、決済実行者サーバ５により生成された決済画面（クレジットカード情報を入力）を利用者端末２に中継すると共に、決済実行者サーバ５による決済結果を利用者端末２に通知する。
【００２７】
なお、決済管理装置３と店舗側端末１と決済実行者サーバ５とは、その一部または全部が一体に構成されてもよい。
【００２８】
ＮＦＣ端末４は、例えば、近距離無線通信であるＲＦＩＤ、Ｂｌｕｅｔｏｏｔｈ（登録商標）、Ｂｅａｃｏｎ、ＩｒＤＡ、ＺｉｇＢｅｅの一部または全部の規格に対応した通信を行う端末であって、後述する決済管理装置３が生成するＮＦＣコードの書き換えが可能となっている。
【００２９】
以上が本実施形態の料金決済システムである。なお、以上の構成において、利用代金決済システムの店舗側端末１、利用者端末２、決済管理装置３、決済実行者サーバ５は、それぞれ例えば、ＣＰＵ（Central Processing Unit）、ＲＯＭ（Read Only memory）、ＲＡＭ（Random Access Memory）等のハードウェアにより構成され、後述する各種処理を実行するプログラムをメモリ（不図示）に記憶保持し、そのプログラムを実行することにより、各種処理を実行するための演算装置（シーケンサ）として機能する。
【００３０】
次に、図２および図３を参照して、以上のように構成された料金決済システムの処理内容について説明する。
【００３１】
初めに、図２を参照して、決済管理装置３により実行される決済用ＵＲＬを紹介するためのＮＦＣコードおよびＮＦＣ端末４を介した決済用ＵＲＬを送信する処理内容を説明する。
【００３２】
まず、決済管理装置３により、空間Ｘへの利用開始（例えば、ホテルの客室の場合には入室）が認識されると（図２／ＳＴＥＰ１１でＹＥＳ、本発明の空間利用認識工程に相当する）、決済用ＵＲＬを紹介するためのＮＦＣコードが生成される（図２／ＳＴＥＰ１２、本発明の決済用ＵＲＬ生成工程に相当する）。
【００３３】
ここでＮＦＣコードとして、決済用ＵＲＬのほか、店舗ＩＤや客室（テーブル）ＩＤ等を識別するコードが埋め込まれた固有のＵＲＬがその都度生成されるが、これに限定されるものではなく、単なる決済用のＵＲＬのみをその都度生成してもよい。
【００３４】
一方、決済管理装置３により、空間Ｘへの利用開始（例えば、ホテルの客室の場合には入室）が認識されるまでは（図２／ＳＴＥＰ１１でＮＯ、本発明の空間利用認識工程に相当する）、このチェック処理を一定の処理周期で繰り返し実行する。
【００３５】
ＳＴＥＰ１２で、決済用ＵＲＬを紹介するためのＮＦＣコードが生成されると、決済管理装置３は、生成したＮＦＣコードを利用開始した空間ＸのＮＦＣ端末４にコードセットすることにより、ＮＦＣ端末４を介して決済用ＵＲＬを送信可能とする（図２／ＳＴＥＰ１３、本発明の決済用ＵＲＬ送信工程に相当する）。
【００３６】
次いで、決済管理装置３により、空間Ｘへの利用終了（例えば、ホテルの客室の場合には退室）が認識されると（図２／ＳＴＥＰ１４でＹＥＳ、本発明の空間利用認識工程に相当する）、ＳＴＥＰ１２で生成した決済用ＵＲＬを紹介するためのＮＦＣコードを無効化し（図２／ＳＴＥＰ１５、本発明の決済用ＵＲＬ無効化工程に相当する）、ＳＴＥＰ１３でＮＦＣ端末４にコードセットしたＮＦＣコードを削除する（図２／ＳＴＥＰ１６、本発明の決済用ＵＲＬ削除工程に相当する）。
【００３７】
このように、利用者の空間Ｘの利用の終了が認識された場合に、その決済用ＵＲＬが無効化され、ＮＦＣ端末４にコードセットしたＮＦＣコードが削除されることで、決済用ＵＲＬが複製されて持ち出されることを回避することができる。
【００３８】
一方、決済管理装置３により、空間Ｘへの利用終了（例えば、ホテルの客室の場合には退室）が認識されるまでは（図２／ＳＴＥＰ１４でＮＯ、本発明の空間利用認識工程に相当する）、このチェック処理を一定の処理周期で繰り返し実行する。
【００３９】
以上が、決済管理装置３により実行される決済用ＵＲＬを紹介するためのＮＦＣコードおよびＮＦＣ端末４を介した決済用ＵＲＬを送信する処理内容である。
【００４０】
次に、図３を参照して、利用者端末２と決済管理装置３とによる決済処理内容を説明する。
【００４１】
まず、当該空間Ｘの利用の決済に際して、利用者が利用者端末２を操作することにより、ＮＦＣ端末４を介した送信されたＮＦＣコードである決済用ＵＲＬが利用者端末２に読み込まれる（図３／ＳＴＥＰ２１、本発明の決済用ＵＲＬ読み込み工程に相当する）。
【００４２】
これにより、利用者端末２がＮＦＣコードに埋め込まれた決済用ＵＲＬにアクセスされ、決済管理装置３との間で決済処理が開始される。
【００４３】
このとき、同時に、決済管理装置３では、決済用ＵＲＬを紹介するためのＮＦＣコードが無効化され（本発明の決済用ＵＲＬ無効化工程に相当する）、ＮＦＣ端末４にコードセットしたＮＦＣコードを削除する処理が実行される（本発明の決済用ＵＲＬ削除工程に相当する）。
【００４４】
このように、決済用ＵＲＬを紹介するためのＮＦＣコードの読み込みがあった場合に、そのＮＦＣコードが無効化され、ＮＦＣ端末４にコードセットしたＮＦＣコードが削除されることで、決済用ＵＲＬが複製されて持ち出されることを回避することができる。
【００４５】
なお、この場合には、決済管理装置３により、決済用ＵＲＬを紹介するためのＮＦＣコードが再生成され、再生成されたＮＦＣコードが空間ＸのＮＦＣ端末４にコードセットされる。
【００４６】
そして、決済管理装置３において当該ＮＦＣコードである決済用ＵＲＬが有効であれば（図３／ＳＴＥＰ２２でＹＥＳ、本発明の決済用ＵＲＬ有効判定工程に相当する）、決済管理装置３は、店舗側端末１から当該空間Ｘの利用代金（金額）を取得し、取得した利用代金を決済実行者サーバ５に送信する。そして、決済管理装置３は、決済実行者サーバ５により生成された決済画面（クレジットカード情報を入力）を利用者端末２に中継して、利用者端末２の画面に表示させる（図３／ＳＴＥＰ２３、本発明の決済画面表示工程に相当する）。
【００４７】
次に、利用者端末２に表示された決済画面に従って、利用者が決済処理を実行し（本発明の決済実行工程に相当する）、決済実行者サーバ５との間で決済が成功すれば（図３／ＳＴＥＰ２４でＹＥＳ）、決済管理装置３は決済成功通知を利用者端末２に送信する（図３／ＳＴＥＰ２５）。
【００４８】
これにより、空間Ｘの利用代金の支払いが完了したことを以って、空間Ｘの利用が終了される（例えば、ホテルの客室の場合には退室に必要な処理（出入り口の解錠、車庫のシャッターのオープンなど）が実行される）。
【００４９】
一方、決済実行者サーバ５との間で決済が成功しない場合（図３／ＳＴＥＰ２４でＮＯ）、決済管理装置３は決済失敗通知を利用者端末２に送信する（図３／ＳＴＥＰ２６）。
【００５０】
この場合には、決済管理装置３により、決済用ＵＲＬを紹介するためのＮＦＣコードが再生成され、再生成されたＮＦＣコードが空間ＸのＮＦＣ端末４にコードセットされる。
【００５１】
以上が、利用者端末２と決済管理装置３とによる決済処理内容である。
【００５２】
以上説明したように、本実施形態の料金決済システムによれば、空間利用認識工程により利用者の空間の利用が認識された場合に、該空間の利用代金決済する決済用ＵＲＬが生成される。そのため、予め空間の利用により決済用ＵＲＬが生成されているため、カード決済の度毎にコード等を生成することがなく、決済までに時間と手間を要することもない。
【００５３】
一方で、決済用ＵＲＬは、空間利用認識工程により空間の利用毎に生成されるため、固定されたコード等を設ける場合のように、複製などのセキュリティ上の問題が生じることもない。
【００５４】
このように、本実施形態の料金決済システムによれば、簡易かつ確実に決済が可能となる。
【００５５】
なお、本実施形態においては、決済管理装置３は、ＮＦＣコードとして、決済用ＵＲＬがその都度生成されて、書き換え可能なＮＦＣ端末４を介して、その都度コードセットされる場合について説明したが、これに限定されるものではなく、（例えば、ＮＦＣ端末４０が書き換え不可で）固定の決済用ＵＲＬのみを紹介する場合であってもよい。
【００５６】
この場合には、ＮＦＣ端末４０を介して、利用者端末２から固定のＮＦＣコードが読み込まれて決済用のＵＲＬにアクセスがなされた後（ＳＴＥＰ２１〜２２）、空間Ｘ毎に付与されたＩＤ（例えば、ホテルの客室の場合には各ホテルの客室毎に付与されたＩＤ）を入力する入力画面が表示される。ここでのＩＤは、固定された静的なＩＤであっても、利用毎または一定時間で更新される動的なＩＤであってもよい。
【００５７】
なお、ＩＤは、決済用ＵＲＬ生成工程において、決済用ＵＲＬの生成に代えて生成されるワンタイムコードであることが望ましい。ワンタイムコードは、例えば、ホテルの客室のディスプレイであるコード表示部４０´に表示される。
【００５８】
そして、利用者がＩＤ入力画面に従ってＩＤを入力することで、（入力されたＩＤが有効か否か判断された上で）決済管理装置３は、店舗側端末１から当該空間Ｘの利用代金（金額）を取得し、取得した利用代金を決済実行者サーバ５に送信する。そして、決済管理装置３は、決済実行者サーバ５により生成された決済画面（クレジットカード情報を入力）を利用者端末２に中継して、利用者端末２の画面に表示させる（ＳＴＥＰ２３）。
【００５９】
このように、特に、ワンタイムコードがその都度動的に生成され表示されることで、空間内の近距離無線通信端末を介して送信する決済用ＵＲＬが変更できないような場合にも、簡易かつ確実に決済が可能となる。
【００６０】
なお、本実施形態において、図３に示した利用者端末２と決済管理装置３とによる決済処理は、図４に示すように変更されてよい。
【００６１】
図４は、会員サイトを利用した利用者端末２と決済管理装置３とによる決済処理である。なお、図３と同一の処理については、同一のＳＴＥＰ番号を付して、その説明を省略する。
【００６２】
図４において、決済管理装置３において当該ＮＦＣコードである決済用ＵＲＬが有効であれば（図３／ＳＴＥＰ２２でＹＥＳ、本発明の決済用ＵＲＬ有効判定工程に相当する）、決済管理装置３は、（決済画面表示に代えて）会員用画面を利用者端末２に表示する（図４／ＳＴＥＰ３３）。
【００６３】
次に、利用者端末２に表示された会員用画面に従って、利用者がログイン処理を実行し、決済管理装置３との間でログインが成功すれば（図４／ＳＴＥＰ３４でＹＥＳ）、決済管理装置３はログイン成功通知を利用者端末２に送信し（図４／ＳＴＥＰ３５）、その会員サイトにおいて会員システムの決済処理（例えば、クレジットカードによる決済のほか、電子マネーやポイントによる清算、本発明の決済画面表示工程および決済実行工程に相当する）が実行される。
【００６４】
一方、決済管理装置３との間でログインが成功しない場合（図４／ＳＴＥＰ３４でＮＯ）、決済管理装置３はログイン失敗通知を利用者端末２に送信する（図４／ＳＴＥＰ３６）。この場合には、（図３と同様に）決済管理装置３により、決済用ＵＲＬを紹介するためのＮＦＣコードが再生成され、再生成されたＮＦＣコードが空間ＸのＮＦＣ端末４にコードセットされる。
【００６５】
以上が、会員サイトを利用した利用者端末２と決済管理装置３とによる決済処理である。
【００６６】
なお、上述の各実施形態において、決済用ＵＲＬを紹介するためのＮＦＣコードは、空間Ｘの利用毎に生成され（図２／ＳＴＥＰ１１，１２）、その有効性が判定されるが（図３／ＳＴＥＰ２２，図４／ＳＴＥＰ２２）、これに加えてまたは代えて、生成された決済用ＵＲＬを紹介するためのＮＦＣコードに時間制限を設けて、制限時間内のみ有効としてもよい。これにより、複製防止をより確実に担保することが可能となる。
【符号の説明】
【００６７】
１…店舗側端末、２…利用者端末、３…決済管理装置、４，４０…ＮＦＣ端末（近距離無線通信端末），４０´…ディスプレイ（コード表示部）、５…決済実行者サーバ、Ｘ…空間。
【図１】
2020140551.tif 000003
【図２】
2020140551.tif 000004
【図３】
2020140551.tif 000005
【図４】
2020140551.tif 000006
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムにおいて、
前記決済管理装置により、
前記利用者の前記空間の利用を認識する空間利用認識工程と、
前記空間利用認識工程により前記利用者の前記空間の利用が認識された場合に、該空間の利用代金決済する決済用ＵＲＬを生成する決済用ＵＲＬ生成工程と、
前記決済用ＵＲＬ生成工程により生成された前記決済用ＵＲＬを前記空間内の近距離無線通信端末を介して送信する決済用ＵＲＬ送信工程と
が実行され、
前記利用者端末により、
前記決済用ＵＲＬ送信工程により前記空間内の前記近距離無線通信端末を介して送信された決済用ＵＲＬに読み込むことにより該決済用ＵＲＬへのアクセスを行う決済用ＵＲＬ読み込み工程と、
前記決済用ＵＲＬ読み込み工程により読み込まれた決済用ＵＲＬが有効か否かを前記管理装置に問い合わせる決済用ＵＲＬ有効判定工程と、
前記決済用ＵＲＬ有効判定工程により決済用ＵＲＬが有効である場合に、前記決済管理装置から取得される決済金額を案内する決済画面を表示する決済画面表示工程と、
前記決済画面表示工程により表示された前記決済画面により決済を実行する決済実行工程と
が実行され、
前記決済管理装置により、
前記空間利用認識工程において前記利用者の前記空間の利用の終了が認識された場合は、前記決済用ＵＲＬ生成工程により生成された決済用ＵＲＬを無効化する決済用ＵＲＬ無効化工程と、前記決済用ＵＲＬ送信工程により前記近距離無線通信端末を介して送信する決済用ＵＲＬを削除する決済用ＵＲＬ削除工程とが実行された後決済用ＵＲＬが再生成されない一方、前記決済用ＵＲＬ読み込み工程における決済用ＵＲＬの読み込みにより前記利用者端末との間の決済処理が開始された場合は、前記決済用ＵＲＬ生成工程により生成された決済用ＵＲＬを無効化する決済用ＵＲＬ無効化工程と、前記決済用ＵＲＬ送信工程により前記近距離無線通信端末を介して送信する決済用ＵＲＬを削除する決済用ＵＲＬ削除工程とが実行された後、前記決済画面表示工程により表示された前記決済画面により決済が成功しないときに決済用ＵＲＬが再生成されることを特徴とする料金決済システム。
【請求項２】
請求項１記載の料金決済システムにおいて、
前記決済用ＵＲＬは、ＵＲＬを固定させた固定決済用ＵＲＬであって、
前記決済管理装置は、
前記決済用ＵＲＬ生成工程において、前記空間利用認識工程により前記利用者の前記空間の利用が認識された場合に、前記決済用ＵＲＬの生成に代えてワンタイムコードを生成し、
前記決済用ＵＲＬ生成工程により生成されたワンタイムコードを前記空間内のコード表示部に表示するコード表示工程を実行し、
前記利用者端末は、
決済用ＵＲＬ有効判定工程において、前記コード表示工程においてコード表示部に表示されたワンタイムコードの入力により決済用ＵＲＬが有効か否かを前記管理装置に問い合わせることを特徴とする料金決済システム。
【手続補正２】
【補正対象書類名】明細書
【補正対象項目名】０００７
【補正方法】変更
【補正の内容】
【０００７】
第１発明の料金決済システムは、
空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムにおいて、
前記決済管理装置により、
前記利用者の前記空間の利用を認識する空間利用認識工程と、
前記空間利用認識工程により前記利用者の前記空間の利用が認識された場合に、該空間の利用代金決済する決済用ＵＲＬを生成する決済用ＵＲＬ生成工程と、
前記決済用ＵＲＬ生成工程により生成された前記決済用ＵＲＬを前記空間内の近距離無線通信端末を介して送信する決済用ＵＲＬ送信工程と
が実行され、
前記利用者端末により、
前記決済用ＵＲＬ送信工程により前記空間内の前記近距離無線通信端末を介して送信された決済用ＵＲＬに読み込むことにより該決済用ＵＲＬへのアクセスを行う決済用ＵＲＬ読み込み工程と、
前記決済用ＵＲＬ読み込み工程により読み込まれた決済用ＵＲＬが有効か否かを前記管理装置に問い合わせる決済用ＵＲＬ有効判定工程と、
前記決済用ＵＲＬ有効判定工程により決済用ＵＲＬが有効である場合に、前記決済管理装置から取得される決済金額を案内する決済画面を表示する決済画面表示工程と、
前記決済画面表示工程により表示された前記決済画面により決済を実行する決済実行工程と
が実行され、
前記決済管理装置により、
前記空間利用認識工程において前記利用者の前記空間の利用の終了が認識された場合は、前記決済用ＵＲＬ生成工程により生成された決済用ＵＲＬを無効化する決済用ＵＲＬ無効化工程と、前記決済用ＵＲＬ送信工程により前記近距離無線通信端末を介して送信する決済用ＵＲＬを削除する決済用ＵＲＬ削除工程とが実行された後決済用ＵＲＬが再生成されない一方、前記決済用ＵＲＬ読み込み工程における決済用ＵＲＬの読み込みにより前記利用者端末との間の決済処理が開始された場合は、前記決済用ＵＲＬ生成工程により生成された決済用ＵＲＬを無効化する決済用ＵＲＬ無効化工程と、前記決済用ＵＲＬ送信工程により前記近距離無線通信端末を介して送信する決済用ＵＲＬを削除する決済用ＵＲＬ削除工程とが実行された後、前記決済画面表示工程により表示された前記決済画面により決済が成功しないときに決済用ＵＲＬが再生成されることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、第１発明の料金決済システムによれば、生成された決済用ＵＲＬは、利用者の空間の利用の終了が認識された場合、または、決済用ＵＲＬの読み込みがあった場合に、無効化され、近距離無線通信端末を介して送信する決済用ＵＲＬが削除される。そのため、決済用ＵＲＬが複製されて持ち出されることを回避することができる。
【手続補正５】
【補正対象書類名】明細書
【補正対象項目名】００１３
【補正方法】変更
【補正の内容】
【００１３】
このように、第１発明の料金決済システムによれば、簡易かつより確実に決済が可能となる。
【手続補正６】
【補正対象書類名】明細書
【補正対象項目名】００１４
【補正方法】変更
【補正の内容】
【００１４】
第２発明の料金決済システムは、第１発明において、
前記決済用ＵＲＬは、ＵＲＬを固定させた固定決済用ＵＲＬであって、
前記決済管理装置は、
前記決済用ＵＲＬ生成工程において、前記空間利用認識工程により前記利用者の前記空間の利用が認識された場合に、前記決済用ＵＲＬの生成に代えてワンタイムコードを生成し、
前記決済用ＵＲＬ生成工程により生成されたワンタイムコードを前記空間内のコード表示部に表示するコード表示工程を実行し、
前記利用者端末は、
決済用ＵＲＬ有効判定工程において、前記コード表示工程においてコード表示部に表示されたワンタイムコードの入力により決済用ＵＲＬが有効か否かを前記管理装置に問い合わせることを特徴とする。
【手続補正７】
【補正対象書類名】明細書
【補正対象項目名】００１５
【補正方法】変更
【補正の内容】
【００１５】
第２発明の料金決済システムによれば、例えば、空間内の近距離無線通信端末を介して送信する決済用ＵＲＬが変更できないような場合のように、決済用ＵＲＬをその都度動的に生成できない固定決済用ＵＲＬである場合でも、決済管理装置が、決済用ＵＲＬの生成に代えてワンタイムコードを生成し、これを空間内のコード表示部に表示する。そして、利用者端末に、生成されたワンタイムコードが入力されることにより決済用ＵＲＬが有効であると判定することが可能となる。
【手続補正８】
【補正対象書類名】明細書
【補正対象項目名】００１６
【補正方法】変更
【補正の内容】
【００１６】
このように、第２発明の料金決済システムによれば、例えば、空間内の近距離無線通信端末を介して送信する決済用ＵＲＬが変更できないような場合にも、簡易かつ確実に決済が可能となる。
【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムにおいて、
前記決済管理装置により、
前記利用者の前記空間の利用を認識する空間利用認識工程と、
前記空間利用認識工程により前記利用者の前記空間の利用が認識された場合に、該空間の利用代金決済する決済用ＵＲＬにアクセスするためのＮＦＣコードを生成する決済用ＵＲＬ生成工程と、
前記決済用ＵＲＬ生成工程により生成された前記ＮＦＣコードを前記空間内の近距離無線通信端末を介して送信する決済用ＵＲＬ送信工程と
が実行され、
前記利用者端末により、
前記決済用ＵＲＬ送信工程により前記空間内の前記近距離無線通信端末を介して送信されたＮＦＣコードを読み込むことにより前記決済用ＵＲＬへのアクセスを行う決済用ＵＲＬ読み込み工程と、
前記決済用ＵＲＬ読み込み工程により読み込まれたＮＦＣコードを前記決済管理装置に送信し、該ＮＦＣコード有効か否かを前記決済管理装置に判定させる決済用ＵＲＬ有効判定工程と、
前記決済用ＵＲＬ有効判定工程によりＮＦＣコードが有効である場合に、前記決済管理装置から取得される決済金額を案内する決済画面を表示する決済画面表示工程と、
前記決済画面表示工程により表示された前記決済画面により決済を実行する決済実行工程と
が実行され、
前記決済管理装置により、
前記空間利用認識工程において前記利用者の前記空間の利用の終了が認識された場合は、前記決済用ＵＲＬ生成工程により生成されたＮＦＣコードを無効化する決済用ＵＲＬ無効化工程と、前記決済用ＵＲＬ送信工程により前記近距離無線通信端末を介して送信するＮＦＣコードを削除する決済用ＵＲＬ削除工程とが実行された後決済用ＵＲＬにアクセスするためのＮＦＣコードが再生成されない一方、前記決済用ＵＲＬ読み込み工程におけるＮＦＣコードの読み込みにより前記利用者端末との間の決済処理が開始された場合は、前記決済用ＵＲＬ生成工程により生成されたＮＦＣコードを無効化する決済用ＵＲＬ無効化工程と、前記決済用ＵＲＬ送信工程により前記近距離無線通信端末を介して送信するＮＦＣコードを削除する決済用ＵＲＬ削除工程とが実行された後、前記決済画面表示工程により表示された前記決済画面により決済が成功しないときに決済用ＵＲＬにアクセスするためのＮＦＣコードが再生成されることを特徴とする料金決済システム。
【請求項２】
請求項１記載の料金決済システムにおいて、
前記ＮＦＣコードは、ＵＲＬを固定させた固定決済用ＮＦＣコードであって、
前記決済管理装置は、
前記決済用ＵＲＬ生成工程において、前記空間利用認識工程により前記利用者の前記空間の利用が認識された場合に、前記ＮＦＣコードの生成に代えてワンタイムコードを生成し、
前記決済用ＵＲＬ生成工程により生成されたワンタイムコードを前記空間内のコード表示部に表示するコード表示工程を実行し、
前記利用者端末は、
決済用ＵＲＬ有効判定工程において、前記コード表示工程においてコード表示部に表示されたワンタイムコードを前記決済管理装置に送信し、該ワンタイムコードが有効か否かを前記決済管理装置に判定させることを特徴とする料金決済システム。
【手続補正２】
【補正対象書類名】明細書
【補正対象項目名】全文
【補正方法】変更
【補正の内容】
【発明の詳細な説明】
【技術分野】
【０００１】
本発明の料金決済システムは、空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムである。
【背景技術】
【０００２】
従来、この種の代金決済システムとしては、下記特許文献１に示すように、
利用者がカード決済によって取引を行う際に、店舗側に表示するＱＲコード（登録商標）を生成して店舗側に表示させる。そして、店舗側に表示されたＱＲコード（登録商標）が利用者端末装置により読み取られることによって決済が実行される。
【先行技術文献】
【特許文献】
【０００３】
【特許文献１】特開２０１２−２１６１５５号公報
【発明の概要】
【発明が解決しようとする課題】
【０００４】
かかる従来の代金決済システムによれば、クレジットカードや当該クレジットカードの情報を読み取る専用端末を用いることなく、店頭でオンライン決済を行うことが可能となるが、カード決済の度毎にＱＲコード（登録商標）を生成することになり、決済までに時間と手間を要することになる。
【０００５】
一方で、予め固定されたＱＲコード（登録商標）を店舗側に設けた場合には、複製などが容易に可能となりセキュリティ上の問題がある。
【０００６】
以上の事情に鑑みて、本発明は、簡易かつ確実に決済を可能とする料金決済システムを提供すること目的とする。
【課題を解決するための手段】
【０００７】
第１発明の料金決済システムは、
空間を時間貸しする店舗側に設けられた店舗側端末と、該空間を時間借りする利用者側に設けられた利用者端末と、該店舗側端末に接続され、該空間の利用状況から決済を行う決済管理装置とを備える料金決済システムにおいて、
前記決済管理装置により、
前記利用者の前記空間の利用を認識する空間利用認識工程と、
前記空間利用認識工程により前記利用者の前記空間の利用が認識された場合に、該空間の利用代金決済する決済用ＵＲＬにアクセスするためのＮＦＣコードを生成する決済用ＵＲＬ生成工程と、
前記決済用ＵＲＬ生成工程により生成された前記ＮＦＣコードを前記空間内の近距離無線通信端末を介して送信する決済用ＵＲＬ送信工程と
が実行され、
前記利用者端末により、
前記決済用ＵＲＬ送信工程により前記空間内の前記近距離無線通信端末を介して送信されたＮＦＣコードを読み込むことにより前記決済用ＵＲＬへのアクセスを行う決済用ＵＲＬ読み込み工程と、
前記決済用ＵＲＬ読み込み工程により読み込まれたＮＦＣコードを前記決済管理装置に送信し、該ＮＦＣコード有効か否かを前記決済管理装置に判定させる決済用ＵＲＬ有効判定工程と、
前記決済用ＵＲＬ有効判定工程によりＮＦＣコードが有効である場合に、前記決済管理装置から取得される決済金額を案内する決済画面を表示する決済画面表示工程と、
前記決済画面表示工程により表示された前記決済画面により決済を実行する決済実行工程と
が実行され、
前記決済管理装置により、
前記空間利用認識工程において前記利用者の前記空間の利用の終了が認識された場合は、前記決済用ＵＲＬ生成工程により生成されたＮＦＣコードを無効化する決済用ＵＲＬ無効化工程と、前記決済用ＵＲＬ送信工程により前記近距離無線通信端末を介して送信するＮＦＣコードを削除する決済用ＵＲＬ削除工程とが実行された後決済用ＵＲＬにアクセスするためのＮＦＣコードが再生成されない一方、前記決済用ＵＲＬ読み込み工程におけるＮＦＣコードの読み込みにより前記利用者端末との間の決済処理が開始された場合は、前記決済用ＵＲＬ生成工程により生成されたＮＦＣコードを無効化する決済用ＵＲＬ無効化工程と、前記決済用ＵＲＬ送信工程により前記近距離無線通信端末を介して送信するＮＦＣコードを削除する決済用ＵＲＬ削除工程とが実行された後、前記決済画面表示工程により表示された前記決済画面により決済が成功しないときに決済用ＵＲＬにアクセスするためのＮＦＣコードが再生成されることを特徴とする。
【０００８】
第１発明の料金決済システムによれば、空間利用認識工程により利用者の空間の利用が認識された場合に、該空間の利用代金決済する決済用ＵＲＬにアクセスするためのＮＦＣコードが生成される。そのため、予め空間の利用によりＮＦＣコードが生成されているため、カード決済の度毎にコード等を生成することがなく、決済までに時間と手間を要することもない。
【０００９】
一方で、決済用ＵＲＬにアクセスするためのＮＦＣコードは、空間利用認識工程により空間の利用毎に生成されるため、固定されたコード等を設ける場合のように、複製などのセキュリティ上の問題が生じることもない。
【００１０】
このように、第１発明の料金決済システムによれば、簡易かつ確実に決済が可能となる。
【００１１】
また、第１発明の料金決済システムによれば、生成された決済用ＵＲＬにアクセスするためのＮＦＣコードは、利用者の空間の利用の終了が認識された場合、または、決済用ＵＲＬにアクセスするためのＮＦＣコードの読み込みがあった場合に、無効化され、近距離無線通信端末を介して送信する決済用ＵＲＬにアクセスするためのＮＦＣコードが削除される。そのため、決済用ＵＲＬにアクセスするためのＮＦＣコードが複製されて持ち出されることを回避することができる。
【００１２】
このように、第１発明の料金決済システムによれば、簡易かつより確実に決済が可能となる。
【００１３】
第２発明の料金決済システムは、第１発明において、
前記ＮＦＣコードは、ＵＲＬを固定させた固定決済用ＮＦＣコードであって、
前記決済管理装置は、
前記決済用ＵＲＬ生成工程において、前記空間利用認識工程により前記利用者の前記空間の利用が認識された場合に、前記ＮＦＣコードの生成に代えてワンタイムコードを生成し、
前記決済用ＵＲＬ生成工程により生成されたワンタイムコードを前記空間内のコード表示部に表示するコード表示工程を実行し、
前記利用者端末は、
決済用ＵＲＬ有効判定工程において、前記コード表示工程においてコード表示部に表示されたワンタイムコードを前記決済管理装置に送信し、該ワンタイムコードが有効か否かを前記決済管理装置に判定させることを特徴とする。
【００１４】
第２発明の料金決済システムによれば、例えば、空間内の近距離無線通信端末を介して送信する決済用ＵＲＬにアクセスするためのＮＦＣコードが変更できないような場合のように、ＮＦＣコードをその都度動的に生成できない固定決済用ＮＦＣコードである場合でも、決済管理装置が、ＮＦＣコードの生成に代えてワンタイムコードを生成し、これを空間内のコード表示部に表示する。そして、利用者端末に、生成されたワンタイムコードが入力されることによりＮＦＣコードが有効であると判定することが可能となる。
【００１５】
このように、第２発明の料金決済システムによれば、例えば、空間内の近距離無線通信端末を介して送信する決済用ＵＲＬにアクセスするためのＮＦＣコードが変更できないような場合にも、簡易かつ確実に決済が可能となる。
【図面の簡単な説明】
【００１６】
【図１】本実施形態の料金決済システムの概要を示すシステム構成図。
【図２】図１の料金決済システムにおける処理内容を示すフローチャート。
【図３】図１の料金決済システムにおける処理内容を示すフローチャート。
【図４】図３の処理内容の変更例を示すフローチャート。
【発明を実施するための形態】
【００１７】
図１に示すように、本実施形態の料金決済システムは、複数の空間Ｘを時間貸しする店舗側に設けられた店舗側端末１と、空間Ｘを時間借りする利用者側に設けられた利用者端末２と、該店舗側端末１に接続され、空間Ｘの利用状況から決済を行う決済管理装置３と、空間Ｘにおいて決済用ＵＲＬを送信する近距離無線通信端末であるＮＦＣ端末４を備える。
【００１８】
ここで、空間Ｘとしては、例えば、ホテルの客室、飲食店の個室や座席、興行における客席のほか、美容院や英会話教室などにおける予約等など、予約により一定の空間を一定時間占有するものをすべて包含する概念である。
【００１９】
まず、店舗側端末１は、例えば、ＰＯＳ端末であり、少なくとも各空間の利用代金を管理する装置であって、各空間Ｘの決済管理装置３との間で、利用代金の情報の授受を行う。
【００２０】
次に、利用者端末２は、例えば、ホテルなどの客室である空間を利用するユーザのスマートフォンやタブレット等のユーザ端末であって、少なくともインターネット等のネットワークに接続可能なものである。
【００２１】
次に、決済管理装置３は、各空間のコンピュータやテレビやタブレットなどのインタフェースであって、少なくともタッチパネルまたはキーボード／テンキーなどの入力手段を備え、ＬＡＮに接続可能な端末である。
【００２２】
決済管理装置３は、主に、決済用ＵＲＬを紹介するためのＮＦＣコードの生成およびその管理と、店舗側端末１から取得した空間Ｘの料金情報に基づく決済処理とをネットワーク通信により利用者端末２との間で行う。
【００２３】
より具体的には、決済管理装置３は、店舗側端末１から取得した料金情報に基づいて料金画面を生成し、これをネットワーク通信により利用者端末２に表示する。
【００２４】
また、決済管理装置３は、必要に応じて、各空間Ｘの状態（例えば、ホテルの客室の場合には『在室』，『空室』，『清掃』，『予約』等の状態）を管理する管理コンピュータとしての機能を有することが望ましい。
【００２５】
決済管理装置３は、ネットワークを介して、クレジットカード会社などの決済実行者サーバ５に接続され、決済実行者サーバ５により生成された決済画面（クレジットカード情報を入力）を利用者端末２に中継すると共に、決済実行者サーバ５による決済結果を利用者端末２に通知する。
【００２６】
なお、決済管理装置３と店舗側端末１と決済実行者サーバ５とは、その一部または全部が一体に構成されてもよい。
【００２７】
ＮＦＣ端末４は、例えば、近距離無線通信であるＲＦＩＤ、Ｂｌｕｅｔｏｏｔｈ、Ｂｅａｃｏｎ、ＩｒＤＡ、ＺｉｇＢｅｅの一部または全部の規格に対応した通信を行う端末であって、後述する決済管理装置３が生成するＮＦＣコードの書き換えが可能となっている。
【００２８】
以上が本実施形態の料金決済システムである。なお、以上の構成において、利用代金決済システムの店舗側端末１、利用者端末２、決済管理装置３、決済実行者サーバ５は、それぞれ例えば、ＣＰＵ（Central Processing Unit）、ＲＯＭ（Read Only memory）、ＲＡＭ（Random Access Memory）等のハードウェアにより構成され、後述する各種処理を実行するプログラムをメモリ（不図示）に記憶保持し、そのプログラムを実行することにより、各種処理を実行するための演算装置（シーケンサ）として機能する。
【００２９】
次に、図２および図３を参照して、以上のように構成された料金決済システムの処理内容について説明する。
【００３０】
初めに、図２を参照して、決済管理装置３により実行される決済用ＵＲＬを紹介するためのＮＦＣコードおよびＮＦＣ端末４を介した決済用ＵＲＬを送信する処理内容を説明する。
【００３１】
まず、決済管理装置３により、空間Ｘへの利用開始（例えば、ホテルの客室の場合には入室）が認識されると（図２／ＳＴＥＰ１１でＹＥＳ、本発明の空間利用認識工程に相当する）、決済用ＵＲＬを紹介するためのＮＦＣコードが生成される（図２／ＳＴＥＰ１２、本発明の決済用ＵＲＬ生成工程に相当する）。
【００３２】
ここでＮＦＣコードとして、決済用ＵＲＬのほか、店舗ＩＤや客室（テーブル）ＩＤ等を識別するコードが埋め込まれた固有のＵＲＬがその都度生成されるが、これに限定されるものではなく、単なる決済用のＵＲＬのみをその都度生成してもよい。
【００３３】
一方、決済管理装置３により、空間Ｘへの利用開始（例えば、ホテルの客室の場合には入室）が認識されるまでは（図２／ＳＴＥＰ１１でＮＯ、本発明の空間利用認識工程に相当する）、このチェック処理を一定の処理周期で繰り返し実行する。
【００３４】
ＳＴＥＰ１２で、決済用ＵＲＬを紹介するためのＮＦＣコードが生成されると、決済管理装置３は、生成したＮＦＣコードを利用開始した空間ＸのＮＦＣ端末４にコードセットすることにより、ＮＦＣ端末４を介して決済用ＵＲＬを送信可能とする（図２／ＳＴＥＰ１３、本発明の決済用ＵＲＬ送信工程に相当する）。
【００３５】
次いで、決済管理装置３により、空間Ｘへの利用終了（例えば、ホテルの客室の場合には退室）が認識されると（図２／ＳＴＥＰ１４でＹＥＳ、本発明の空間利用認識工程に相当する）、ＳＴＥＰ１２で生成した決済用ＵＲＬを紹介するためのＮＦＣコードを無効化し（図２／ＳＴＥＰ１５、本発明の決済用ＵＲＬ無効化工程に相当する）、ＳＴＥＰ１３でＮＦＣ端末４にコードセットしたＮＦＣコードを削除する（図２／ＳＴＥＰ１６、本発明の決済用ＵＲＬ削除工程に相当する）。
【００３６】
このように、利用者の空間Ｘの利用の終了が認識された場合に、その決済用ＵＲＬが無効化され、ＮＦＣ端末４にコードセットしたＮＦＣコードが削除されることで、決済用ＵＲＬが複製されて持ち出されることを回避することができる。
【００３７】
一方、決済管理装置３により、空間Ｘへの利用終了（例えば、ホテルの客室の場合には退室）が認識されるまでは（図２／ＳＴＥＰ１４でＮＯ、本発明の空間利用認識工程に相当する）、このチェック処理を一定の処理周期で繰り返し実行する。
【００３８】
以上が、決済管理装置３により実行される決済用ＵＲＬを紹介するためのＮＦＣコードおよびＮＦＣ端末４を介した決済用ＵＲＬを送信する処理内容である。
【００３９】
次に、図３を参照して、利用者端末２と決済管理装置３とによる決済処理内容を説明する。
【００４０】
まず、当該空間Ｘの利用の決済に際して、利用者が利用者端末２を操作することにより、ＮＦＣ端末４を介した送信されたＮＦＣコードである決済用ＵＲＬが利用者端末２に読み込まれる（図３／ＳＴＥＰ２１、本発明の決済用ＵＲＬ読み込み工程に相当する）。
【００４１】
これにより、利用者端末２がＮＦＣコードに埋め込まれた決済用ＵＲＬにアクセスされ、決済管理装置３との間で決済処理が開始される。
【００４２】
このとき、同時に、決済管理装置３では、決済用ＵＲＬを紹介するためのＮＦＣコードが無効化され（本発明の決済用ＵＲＬ無効化工程に相当する）、ＮＦＣ端末４にコードセットしたＮＦＣコードを削除する処理が実行される（本発明の決済用ＵＲＬ削除工程に相当する）。
【００４３】
このように、決済用ＵＲＬを紹介するためのＮＦＣコードの読み込みがあった場合に、そのＮＦＣコードが無効化され、ＮＦＣ端末４にコードセットしたＮＦＣコードが削除されることで、決済用ＵＲＬが複製されて持ち出されることを回避することができる。
【００４４】
なお、この場合には、決済管理装置３により、決済用ＵＲＬを紹介するためのＮＦＣコードが再生成され、再生成されたＮＦＣコードが空間ＸのＮＦＣ端末４にコードセットされる。
【００４５】
そして、決済管理装置３において当該ＮＦＣコードである決済用ＵＲＬが有効であれば（図３／ＳＴＥＰ２２でＹＥＳ、本発明の決済用ＵＲＬ有効判定工程に相当する）、決済管理装置３は、店舗側端末１から当該空間Ｘの利用代金（金額）を取得し、取得した利用代金を決済実行者サーバ５に送信する。そして、決済管理装置３は、決済実行者サーバ５により生成された決済画面（クレジットカード情報を入力）を利用者端末２に中継して、利用者端末２の画面に表示させる（図３／ＳＴＥＰ２３、本発明の決済画面表示工程に相当する）。
【００４６】
次に、利用者端末２に表示された決済画面に従って、利用者が決済処理を実行し（本発明の決済実行工程に相当する）、決済実行者サーバ５との間で決済が成功すれば（図３／ＳＴＥＰ２４でＹＥＳ）、決済管理装置３は決済成功通知を利用者端末２に送信する（図３／ＳＴＥＰ２５）。
【００４７】
これにより、空間Ｘの利用代金の支払いが完了したことを以って、空間Ｘの利用が終了される（例えば、ホテルの客室の場合には退室に必要な処理（出入り口の解錠、車庫のシャッターのオープンなど）が実行される）。
【００４８】
一方、決済実行者サーバ５との間で決済が成功しない場合（図３／ＳＴＥＰ２４でＮＯ）、決済管理装置３は決済失敗通知を利用者端末２に送信する（図３／ＳＴＥＰ２６）。
【００４９】
この場合には、決済管理装置３により、決済用ＵＲＬを紹介するためのＮＦＣコードが再生成され、再生成されたＮＦＣコードが空間ＸのＮＦＣ端末４にコードセットされる。
【００５０】
以上が、利用者端末２と決済管理装置３とによる決済処理内容である。
【００５１】
以上説明したように、本実施形態の料金決済システムによれば、空間利用認識工程により利用者の空間の利用が認識された場合に、該空間の利用代金決済する決済用ＵＲＬが生成される。そのため、予め空間の利用により決済用ＵＲＬが生成されているため、カード決済の度毎にコード等を生成することがなく、決済までに時間と手間を要することもない。
【００５２】
一方で、決済用ＵＲＬは、空間利用認識工程により空間の利用毎に生成されるため、固定されたコード等を設ける場合のように、複製などのセキュリティ上の問題が生じることもない。
【００５３】
このように、本実施形態の料金決済システムによれば、簡易かつ確実に決済が可能となる。
【００５４】
なお、本実施形態においては、決済管理装置３は、ＮＦＣコードとして、決済用ＵＲＬがその都度生成されて、書き換え可能なＮＦＣ端末４を介して、その都度コードセットされる場合について説明したが、これに限定されるものではなく、（例えば、ＮＦＣ端末４０が書き換え不可で）固定の決済用ＵＲＬのみを紹介する場合であってもよい。
【００５５】
この場合には、ＮＦＣ端末４０を介して、利用者端末２から固定のＮＦＣコードが読み込まれて決済用のＵＲＬにアクセスがなされた後（ＳＴＥＰ２１〜２２）、空間Ｘ毎に付与されたＩＤ（例えば、ホテルの客室の場合には各ホテルの客室毎に付与されたＩＤ）を入力する入力画面が表示される。ここでのＩＤは、固定された静的なＩＤであっても、利用毎または一定時間で更新される動的なＩＤであってもよい。
【００５６】
なお、ＩＤは、決済用ＵＲＬ生成工程において、決済用ＵＲＬの生成に代えて生成されるワンタイムコードであることが望ましい。ワンタイムコードは、例えば、ホテルの客室のディスプレイであるコード表示部４０´に表示される。
【００５７】
そして、利用者がＩＤ入力画面に従ってＩＤを入力することで、決済管理装置３は、店舗側端末１から当該空間Ｘの利用代金（金額）を取得し、取得した利用代金を決済実行者サーバ５に送信する。そして、決済管理装置３は、決済実行者サーバ５により生成された決済画面（クレジットカード情報を入力）を利用者端末２に中継して、利用者端末２の画面に表示させる（ＳＴＥＰ２３）。
【００５８】
このように、特に、ワンタイムコードがその都度動的に生成され表示されることで、空間内の近距離無線通信端末を介して送信する決済用ＵＲＬが変更できないような場合にも、簡易かつ確実に決済が可能となる。
【００５９】
なお、本実施形態において、図３に示した利用者端末２と決済管理装置３とによる決済処理は、図４に示すように変更されてよい。
【００６０】
図４は、会員サイトを利用した利用者端末２と決済管理装置３とによる決済処理である。なお、図３と同一の処理については、同一のＳＴＥＰ番号を付して、その説明を省略する。
【００６１】
図４において、決済管理装置３において当該ＮＦＣコードである決済用ＵＲＬが有効であれば（図３／ＳＴＥＰ２２でＹＥＳ、本発明の決済用ＵＲＬ有効判定工程に相当する）、決済管理装置３は、（決済画面表示に代えて）会員用画面を利用者端末２に表示する（図４／ＳＴＥＰ３３）。
【００６２】
次に、利用者端末２に表示された会員用画面に従って、利用者がログイン処理を実行し、決済管理装置３との間でログインが成功すれば（図４／ＳＴＥＰ３４でＹＥＳ）、決済管理装置３はログイン成功通知を利用者端末２に送信し（図４／ＳＴＥＰ３５）、その会員サイトにおいて会員システムの決済処理（例えば、クレジットカードによる決済のほか、電子マネーやポイントによる清算、本発明の決済画面表示工程および決済実行工程に相当する）が実行される。
【００６３】
一方、決済管理装置３との間でログインが成功しない場合（図４／ＳＴＥＰ３４でＮＯ）、決済管理装置３はログイン失敗通知を利用者端末２に送信する（図４／ＳＴＥＰ３６）。この場合には、（図３と同様に）決済管理装置３により、決済用ＵＲＬを紹介するためのＮＦＣコードが再生成され、再生成されたＮＦＣコードが空間ＸのＮＦＣ端末４にコードセットされる。
【００６４】
以上が、会員サイトを利用した利用者端末２と決済管理装置３とによる決済処理である。
【００６５】
なお、上述の各実施形態において、決済用ＵＲＬを紹介するためのＮＦＣコードは、空間Ｘの利用毎に生成され（図２／ＳＴＥＰ１１，１２）、その有効性が判定されるが（図３／ＳＴＥＰ２２，図４／ＳＴＥＰ２２）、これに加えてまたは代えて、生成された決済用ＵＲＬを紹介するためのＮＦＣコードに時間制限を設けて、制限時間内のみ有効としてもよい。これにより、複製防止をより確実に担保することが可能となる。
【符号の説明】
【００６６】
１…店舗側端末、２…利用者端末、３…決済管理装置、４，４０…ＮＦＣ端末（近距離無線通信端末），４０´…ディスプレイ（コード表示部）、５…決済実行者サーバ、Ｘ…空間。